(57)【要約】      （修正有）【課題】転倒等の危険を防止し、置き忘れを防止し、周囲の迷惑となることを防止し、取り扱い性に優れた提げ部材付き傘保持具を提供する。【解決手段】傘を保持する固定具と、固定具に保持された傘を使用者の携行品に取り付け可能な提げ部材と、傘収納具とを有する。傘収納具は、固定具に着脱可能である。【選択図】図１
0003170643.tif 000002
【実用新案登録請求の範囲】
【請求項１】
傘を保持する固定具と、前記固定具に保持された傘を使用者の携行品に取り付け可能な提げ部材と、傘を収納する傘収納具と、を有し、前記傘収納具は、前記固定具に着脱可能であることを特徴とする提げ部材付傘保持具。
【請求項２】
前記固定具および前記傘収納具の内面は、撥水性を有することを特徴とする請求項１に記載の提げ部材付傘保持具。
【請求項３】
前記提げ部材は、伸縮性を有することを特徴とする請求項１または請求項２に記載の提げ部材付傘保持具。
【請求項４】
前記提げ部材付傘保持具は、前記傘収納具を収納可能な収納袋を有することを特徴とする請求項１から請求項３のいずれかに記載の提げ部材付傘保持具。
【請求項５】
前記固定具、前記収納袋の少なくとも一方に、ポケットが形成されることを特徴とする請求項４に記載の提げ部材付傘保持具。
【考案の詳細な説明】
【技術分野】
【０００１】
本考案は、傘の持ち歩き時に有効な提げ部材付傘保持具に関するものである。
【背景技術】
【０００２】
外出時に雨が降りそうなときには、備えとして、傘を持ち歩くことがある。また、雨天の外出においては、雨が止んだ後には濡れた傘を持ち歩かなければならない。これらの場合、手が塞がり不便であるとともに、転倒などの危険が伴う。また、濡れた傘を持ち歩くことは混雑した場所では周囲の迷惑となる場合がある。さらには、持ち歩いた傘を立ち寄り先等で置き忘れる場合がある。
【０００３】
これらの課題に対して、実用新案登録第３１０３１１２号では、鞄等に繋留可能な傘収納ケースが提案されている。
【先行技術文献】
【特許文献】
【０００４】
【特許文献１】実用新案登録第３１０３１１２号公報
【考案の概要】
【考案が解決しようとする課題】
【０００５】
しなしながら、上記技術では、使用前後にかかわらず、毎回、傘を傘収納ケースに収納する必要がある。したがって、雨の降りそうな外出時に、わざわざ傘を傘収納ケースに収納する手間を必要としていた。また、外出先での急な雨に対して、すぐに傘を準備することが困難であった。
【０００６】
本考案は、このような問題に鑑みてなされたもので、傘の持ち歩き時の携帯性、危険防止、周囲への迷惑防止、置き忘れ防止に加え、取り扱い性に優れた提げ部材付傘保持具を提供することを目的とするものである。
【課題を解決するための手段】
【０００７】
前述した目的を達成するために、本考案は、傘を保持する固定具と、固定具に保持された傘を使用者の携行品に取り付け可能な提げ部材と、傘収納具とを有するとともに、前記傘収納具は、前記固定具に着脱可能であることを特徴とする提げ部材付傘保持具である
【０００８】
本考案によれば、使用者の傘は固定具に保持されるとともに、提げ部材によって使用者の携行品に取り付け可能である。また、傘収納具は固定具に着脱可能である。このため、濡れていない傘は、傘収納具に収納されることなく固定具に保持され、提げ部材により使用者の携行品に取り付けられる。一方、濡れた傘は、固定具に取り付けられた傘収納具に収納されるとともに固定具に保持され、提げ部材により使用者の携行品に取り付けられる。このため、使用者の傘の持ち歩き時の利便性、危険防止、周囲への迷惑防止、置き忘れ防止を実現できるだけでなく取り扱い性にも優れる。
【０００９】
また、前記固定具および前記傘収納具の内面は、撥水性を有してもよい。
【００１０】
このため、傘が濡れていても、固定具や傘収納具外面まで濡れにじむことがなく、使用者や使用者の携行品および周囲の人や物を濡らすことがない。
【００１１】
また、前記提げ部材は、伸縮性を有してもよい。
【００１２】
このため、提げ部材に提げられた傘の可動域を広くすることができ、取り扱い性に優れる。
【００１３】
さらに、前記提げ部材付傘保持具は、前記傘収納具を収納可能な収納袋を有してもよい。
【００１４】
このため、急な雨に対応できるように、常にコンパクトに傘収納具を持ち歩くことができる。
【００１５】
さらに、前記固定具、前記収納袋の少なくとも一方に、ポケットが形成されてもよい。
【００１６】
このため、傘収納具だけでなく他のものをともに携帯することができる。
【考案の効果】
【００１７】
本考案によれば、傘の持ち歩き時の携帯性、危険防止、周囲への迷惑防止、置き忘れ防止に加え、取り扱い性に優れた提げ部材付傘保持具を提供することができる。
【図面の簡単な説明】
【００１８】
【図１】提げ部材付傘保持具１の全体構成図。
【図２】固定具３および提げ部材５の詳細図。
【図３】（ａ）収納袋９の詳細図、（ｂ）傘収納具７の詳細図、（ｃ）は（ｂ）の傘収納具７とサイズの異なる傘収納具２３の詳細図。
【図４】提げ部材付傘保持具１の使用例であり、（ａ）傘収納具７を使用しない状態を示す図、（ｂ）傘収納具７を使用した状態を示す図。
【図５】固定具３の他の実施形態である固定具２９の詳細図。
【図６】収納袋９の他の実施形態である収納袋３７の詳細図。
【考案を実施するための形態】
【００１９】
以下、図面を参照にしながら本考案の実施形態について説明する。図１は、提げ部材付傘保持具１の全体構成図である。提げ部材付傘保持具１は主に、傘を保持する固定具３と、固定具３に保持された傘を使用者の携行品に取り付け可能な提げ部材５と、固定具３に着脱可能な傘収納具７と、傘収納具７および傘収納具２３を収納可能な収納袋９により構成されている。
【００２０】
固定具３はベルト状に形成され、伸縮性を有する、例えばゴム、皮、合皮、ナイロンなどのような材質により形成されている。固定具３は、閉じられた傘を巻くように突起部係合穴１７に突起部１９を係合させると、材質の伸縮性を利用して傘にぴったり適合して保持する機能を奏する。また、固定具３内面は撥水性を有すること（撥水性は、例えば、あらかじめ生地に撥水材が塗布されることで得ることができる）で、固定具３の外面が濡れにじむことを防ぐ機能を奏する。なお、固定具３の詳細は後述する。
【００２１】
固定具３には提げ部材５が接合される。接合は、固定具３の提げ部材通し穴１１に提げ部材５下端を通すことにより行われる。提げ部材５上端は、フック状の部材で使用者の携行品に取り付け可能である。提げ部材５中央紐部分は、伸縮性を有する、例えばゴム、皮、合皮、ナイロンなどのような材質で形成され、提げられた傘の可動域を広くする機能を奏する。あるいは提げ部材５を長さ調節可能なチェーン（鎖）部材とすることもできる。なお、提げ部材５の詳細は後述する。
【００２２】
また、固定具３には傘収納具７が接続される。接続は、傘収納具７における接続部１３の突起部係合穴２１を、固定具３の突起部１９に係合させることにより行われる。傘収納具７は、閉じられた傘の表面を覆うとともに下方に開口部が形成された中空の形状である。内面には撥水性を有すること（撥水性は、例えば、あらかじめ生地に撥水材が塗布されることで得ることができる）で傘収納具７の外面が濡れにじむことを防ぐ機能を奏する。また、傘収納具７表面には、折り畳み線１４，１８，２０が施されている。このようにすることで、使用者は傘収納具７を折り畳みやすいとともに、収納袋９へ収納しやすくなる。なお、傘収納具７の詳細は後述する。
【００２３】
また、提げ部材５には、収納袋９がそのループ部を介して取り付けられている。収納袋９は、傘収納具７および後述する傘収納具２３を収納可能な形状である。収納袋９の素材としては、例えばポリエステルなどの軽量で速乾性のあるものが好ましい。本実施形態では、収納袋９に傘収納具２３が収納されている。なお、収納袋９および傘収納具２３の詳細についても後述する。
【００２４】
ここで、図１の提げ部材付傘保持具１における固定具３および提げ部材５について、図２を用いて詳細に説明する。まず、固定具３は、ベルト状に形成されており、その上部には、提げ部材５を通すための提げ部材通し穴１１が形成されている。また、固定具３中央付近には、突起部係合穴１５および１７、突起部１９が形成されている。突起部１９を突起部係合穴１５もしくは１７に係合させることでサイズの異なる輪を形成する。突起部係合穴を１５および１７のように複数箇所に形成したのは、傘のサイズは一様ではなく、複数のサイズの傘のそれぞれに固定具３を適合させて保持するためである。
【００２５】
また、固定具３の一部にポケット１６が設けられている。ポケット１６には例えば、携帯電話やスマートフォン、タブレット型ＰＤＡのＬＣＤに付着する汚れを除去もしくは低減できる薄状のＬＣＤクリーナーを収納することができる。このような形状にすることで、天候にかかわらず常時持ち歩くことのできる複合型アクセサリーとして使用することができる。
【００２６】
また、固定具３の素材は伸縮性を有すること（例えば、伸縮性を有する素材としては、ゴム、皮、合皮、ナイロンなどのような素材があげられる）で、複数サイズの傘を保持する場合に、より一層適合して保持することができる。また、内面に撥水性を有することで、傘が濡れていても、固定具３の外面に濡れにじむことがなく、使用者や使用者の携行品および周囲の人や物を濡らすことがない。
【００２７】
ここでは、固定具３の形状としてベルト状を実施形態としたがこれに限るものではない。また、必ずしも固定具３全体に伸縮性を有する必要はなく、少なくとも一部にあれば十分にその効果を発揮できる。さらに、突起部１９は固定具３の外面ではなく内面に形成しても良いし、マジックテープ（登録商標）など他の方法で固定するようにしてもよい。また、固定具３の表面に様々なデザインを施せば、アクセサリーとして楽しむことができる。
【００２８】
続いて提げ部材５について説明する。提げ部材５下端は、固定具３の提げ部材通し穴１１に通され、提げ部材通し穴１１の内径内で揺動可能である。一方、提げ部材５上端は、フック状部材で構成されており、鞄、バッグ、ズボンのベルトなど使用者の携行品に取り付け可能な構造である。フック状部材の素材としては、金属やプラスティックなど破損しにくい強固なものが好ましい。さらに、提げ部材５中央紐状部分は伸縮性を有する素材（例えば、伸縮性を有する素材としては、ゴム、皮、合皮、ナイロンなどを用いることができる）とする。このため、提げられた傘の可動域を広くすることができ、取り扱い性に優れる。あるいは、提げ部材５を長さ調節可能なチェーン（鎖）部材とすることでも同様の効果が得られる。
【００２９】
次に、図１の提げ部材付傘保持具１における傘収納具７および２３、収納袋９について、図３を用いて詳細に説明する。図３（ａ）は収納袋９、図３（ｂ）は傘収納具７、図３（ｃ）は収納袋９に収納された傘収納具２３である。
【００３０】
図３（ａ）の収納袋９は、使用前の、すなわち濡れていない傘収納具７および２３を収納可能に構成されており、また、一端を提げ部材５に取り付け可能なループが形成されている。収納袋９の素材としては、例えばポリエステルなどの軽量で速乾性のあるものが好ましい。軽量であれば使用者は携行しやすく、速乾性があれば万が一収納袋９の外面が濡れても取り扱いやすい。
【００３１】
図３（ｂ）の傘収納具７は、前述した固定具３に接続可能なように接続部１３が形成されている。接続部１３の突起部係合穴２１を固定具３の突起部１９に係合することで傘収納具７は固定具３に接続される。また、傘収納具７の長さは、傘を覆う程度（例えば３０〜３５センチ）とする。さらに、傘収納具７下端は開口されているとともに、内面は撥水性を有する（撥水性は、例えば、あらかじめ生地に撥水材が塗布されることで得ることができる）よう形成されている。このようにすることで、傘に残った水滴が傘収納具７の外面に濡れにじむことがなく開口部より排出され、使用者や使用者の携行品および周囲の人や物を濡らすことがない。
【００３２】
また、傘収納具７表面には、折り畳み線１４，１８，２０が施されている。このようにすることで、使用者は傘収納具７を折り畳みやすいとともに、収納袋９へ収納しやすくなる。
【００３３】
図３（ｃ）の傘収納具２３は、前述した固定具３に接続可能なように接続部２５が形成されている。接続部１３の突起部係合穴２７を固定具３の突起部１９に係合することで傘収納具２３は固定具３に接続される。また、傘収納具２３の長さは、傘を覆う程度（例えば３０〜３５センチ）とする。さらに、傘収納具２３下端は開口されているとともに、内面は撥水性を有する（撥水性は、例えば、あらかじめ生地に撥水材が塗布されることで得ることができる）よう形成されている。このようにすることで、傘に残った水滴が傘収納具２３の外面に濡れにじむことがなく開口部より排出され、使用者や使用者の携行品および周囲の人や物を濡らすことがない。
【００３４】
また、傘収納具２３表面には、折り畳み線２４，２６，２８が施されている。このようにすることで、使用者は傘収納具２３を折り畳みやすいとともに、収納袋９へ収納しやすくなる。
【００３５】
さらに、傘収納具７と傘収納具２３との構成の違いは、これらの内径が異なるところにある。これは、傘のサイズは一様ではなく、異なるサイズの傘にも傘収納具を使い分けることで対応可能とするためである。
【００３６】
以上のように収納袋９に傘収納具７および２３を収納することで、使用者は、急な雨に対応できるように、常にコンパクトに傘収納具を持ち歩くことができるとともに、傘の種類に対応してどちらかを選択することができる。また、使用しない傘収納具はそのまま収納袋９に収納されるため、コンパクトであり、紛失の恐れもない。
【００３７】
さらに、収納袋９，傘収納具７および２３の表面に様々なデザインを施せば、アクセサリーとして楽しむことができる。さらに、収納袋９，傘収納具７および２３の形状も四角形に限るものではなく、様々な形状を提供することができる。なお、本実施形態では、接続部１３の突起部係合穴２１を固定具３の突起部１９に係合し接続するようにしたが、本発明はこれに限るものではなく、それぞれをマジックテープ（登録商標）など他の方法で固定するようにしても良い。
【００３８】
次に、本考案にかかる提げ部材付傘保持具１の使用方法について説明する。図４（ａ）は、傘４１が濡れていない状態での使用状態を示す図である。図４（ａ）の状態では、傘収納具７もしくは２３が固定具３に接続されておらず、いずれも収納袋９に収納されている。傘４１は固定具３に保持され、提げ部材５上端が使用者の携行品に取り付けられる。
【００３９】
図4（ｂ）は、傘４３が濡れている状態での使用状態を示す図である。図４（ｂ）の使用状態では、傘４３のサイズに応じて傘収納具７が選択されている。傘収納具７における接続部１３の突起部係合穴２１は、固定具３の突起部１９に係合されることで、傘収納具７は固定具３に接続される。傘４３は固定具３に保持されるとともに傘収納具７に収納され、提げ部材５状態が使用者の携行品に取り付けられる。また、傘収納具７表面には、折り畳み線１４，１８，２０が施されている。これらの折り畳み線に沿って折り畳まれて収納袋９に収納されていた傘収納具７が広げられた状態である。一方、傘収納具２３は収納袋９に収納されている。
【００４０】
本実施形態によれば、使用者の傘４１および４３は、固定具３に保持されるとともに提げ部材５によって使用者の携行品に取り付けられる。このため、使用者は、傘４１および４３を手で持つ必要がない。このため、手が塞がり不便な思いをすることがなく、また、転倒等の危険を防止することができる。さらに置き忘れを防止することができる。
【００４１】
また、提げ部材５は、伸縮性を有する部材や長さ調節可能な部材とすることで、使用者の携行品に取り付けられた傘の可動域を広くすることができ、取り扱い性に優れる。
【００４２】
特に、固定具３と傘収納具７とが分離可能であるため、濡れていない傘４１を保持する場合には、傘４１をわざわざ傘収納具７に収納する手間を必要とせず、また、外出先での急な雨に対してはすぐに傘４１を準備することができる。
【００４３】
一方、濡れている傘４３を保持する場合には、傘４３は傘収納具７に収納されているので、混雑した場所で周囲の迷惑となることがない。
【００４４】
また、固定具３、傘収納具７および２３の内面は撥水性を有するので、傘４３が濡れていても、固定具や傘収納具外面まで濡れにじむことがなく、使用者や使用者の携行品および周囲の人や物を濡らすことがない。
【００４５】
さらに、異なるサイズの傘収納具７および２３を収納袋９に収納されるため、傘のサイズに対応して傘収納具を選択可能であるとともに、コンパクトであり、紛失の恐れもない。さらに、傘収納具７及び２３表面には、折り畳み線１４，１８，２０、２４，２６、２８が施されているので、使用者は傘収納具７および２３を折り畳みやすいとともに、収納袋９へ収納しやすくなる。
【００４６】
図５は、固定具３の他の実施形態である。固定具２９はバネ圧クリップタイプである。素材としては、金属やプラスティックなど強固なものが好ましい。また、固定具２９には、突起部３１および提げ部材通し穴３３、３５が形成されている。具体的には、突起部３１は、固定具２９の傘を挟持して保持する部分の外側に形成されている。突起部３１に、前述した傘収納具７における接続部１３の突起部係合穴２１、もしくは、傘収納具２３における接続部２５の突起部係合穴２７を係合させることにより、固定具２９と傘収納具７および２３は接続される。なお、本実施形態では、突起部３１を、接続部１３の突起部係合穴２１、もしくは、傘収納具２３における接続部２５の突起部係合穴２７に係合し接続するようにしたが、本発明はこれに限るものではなく、それぞれをマジックテープ（登録商標）など他の方法で固定するようにしても良い。
【００４７】
一方、提げ部材通し穴３３および３５は、固定具２９のバネ加圧部分に形成されている。また、提げ部材通し穴３６は、固定具２９の中央蝶番部分を上下に貫通するように形成されている。これらの提げ部材通し穴３３、３５もしくは３６に、前述した提げ部材５下端部が通されて、固定具２９に挟持された傘は使用者の携行品に取り付けられる。前述した収納袋９も提げ部材通し穴３３、３５もしくは３６に取り付けられる。
【００４８】
本実施形態においても、傘は、固定具２９に挟持されるとともに提げ部材５によって使用者の携行品に取り付けられる。このため、使用者は、傘を手で持つ必要がない。従って、手が塞がり不便な思いをすることがなく、また、転倒等の危険を防止することができる。さらに、置き忘れも防止できる。
【００４９】
特に、固定具２９も、突起部３１により、傘収納具７および２３と分離可能である。このため、濡れていない傘を挟持する場合には、傘をわざわざ傘収納具７もしくは２３に収納する手間を必要とせず、また、外出先での急な雨に対してはすぐに傘を準備することができる。
【００５０】
一方、濡れている傘を挟持する場合には、傘は傘収納具７もしくは２３に収納されているので、混雑した場所で周囲の迷惑となることがない。
【００５１】
図６は、収納袋９の他の実施形態である。収納袋３７の外面にポケット３９が形成されている。ポケット３９には、傘収納具７および２３の他に、使用者が備えたい小物を収納し、携帯することができる。例えば、携帯電話やスマートフォン、タブレット型ＰＤＡのＬＣＤに付着する汚れを除去もしくは低減できる薄状のＬＣＤクリーナーを常備させても良い。このような形状にすることで、天候にかかわらず常時持ち歩くことのできる複合型アクセサリーとして使用することができる。
【００５２】
以上、添付図を参照しながら、本考案の実施の形態を説明したが、本考案の技術的範囲は、前述した実施の形態に左右されない。当業者であれば、実用新案登録請求の範囲に記載された技術的思想の範疇内において各種の変更例または修正例に想到し得ることは明らかであり、それらについても当然に本考案の技術的範囲に属するものと了解される。
【００５３】
なお、上述したそれぞれの実施形態は、互いに組み合わせることが可能であることは言うまでもない。
【符号の説明】
【００５４】
１………提げ部材付傘保持具
３、２９………固定具
５………提げ部材
７、２３………傘収納具
９、３７………収納袋
１１、３３、３５、３６………提げ部材通し穴
１３、２５………接続部
１５、１７………突起部係合穴
１９、３１………突起部
２１、２７………突起部係合穴
１６，３９………ポケット
４１、４３………傘
１４，１８，２０，２４，２６，２８………折り畳み線
【図１】
0003170643.tif 000003
【図２】
0003170643.tif 000004
【図３】
0003170643.tif 000005
【図４】
0003170643.tif 000006
【図５】
0003170643.tif 000007
【図６】
0003170643.tif 000008